(57)【特許請求の範囲】
【請求項１】
異なる報知目的を有した報知音を同一の音源から発音させるビープ音信号出力手段と、
前記ビープ音信号出力手段が出力したビープ音信号を前記報知目的に応じて制御し、前記報知目的ごとにその報知音の音量に差異を発生させる報知音音量調整手段と、
を備え、
前記報知音音量調整手段は、前記ビープ音信号出力手段が出力したビープ音信号を制御し、再生中のソース音のソース再生信号に重畳される報知目的ごとの報知音の音量に差異を発生させるとともに、前記報知音の音量を前記再生中のソース音の平均音量に応じた音量に調整することを特徴とする音量調整装置。
【請求項２】
異なる報知目的を有した報知音は、アラーム音と、キー操作時に発音される操作音を含み、前記報知音音量調整手段は、前記アラーム音の音量を、再生中のソース音の平均音量より大きい音量に調整することを特徴とする請求項１記載の音量調整装置。
【発明の詳細な説明】
【０００１】
【発明の属する技術分野】
この発明は、例えば、設定した時刻になるとアラーム音を発生させるアラーム機能や、操作ボタンを操作するごとに短時間、操作音を発生させる操作音発生機能などによる異なる目的のため、同一の音源から発音される報知音の音量調整を行う音量調整装置に関するものである。
【０００２】
【従来の技術】
図７は、設定した時刻になるとアラーム音を発生させるアラーム機能と操作ボタンを操作するごとに短時間、操作音を発生させる操作音発生機能とを備えたラジオ受信機に用いられている従来の音量調整装置の構成を示すブロック図である。図において、５１は受信したラジオ電波から所望の放送局の放送電波を選局し電気信号として出力するチューナ、５７はテープから読み出され再生された電気信号をＥｑｕａｌｉｚｅｒ（以下、ＥＱと略す）処理するためのＥＱ回路である。５２は前記チューナ５１の出力と前記ＥＱ回路５７の出力とを混合し、または前記出力のいずれかを選択しソース再生信号として出力する第１の混合器である。５３は第１の混合器５２から出力された前記ソース再生信号の振幅をマイクロコンピュータ５８から出力される調整信号に応じた量だけ可変できるようにするための電子ボリューム、５４は前記マイクロコンピュータ５８から出力されたミュート制御信号により制御されるミュート回路、５５はこのラジオ受信機の各種操作ボタンを操作した際に短時間、操作音を発生させるための第２の混合器である。この操作音を発生させるためのビープ音信号は前記マイクロコンピュータ５８から出力される。５６は第２の混合器５５の出力を電力増幅するアンプ、５９はスピーカである。６１は各種操作キーを備えた操作部である。６２はマイクロコンピュータ５８が備えている、設定された時刻になるとアラーム音の信号源となるビープ音信号を生成し出力するアラーム機能部、６３は操作部６１のキー操作に伴う操作音の信号源となるビープ音信号を生成し出力する操作音発生機能部である。これらアラーム音と操作音とは同一の音源からそれぞれ発音される。
【０００３】
次に動作について説明する。
放送局からの放送電波はこのラジオ受信機のアンテナにより受信され、チューナ５１により所望の周波数の放送電波が選局され電気信号として出力される。このチューナ５１からの出力は第１の混合器５２へ出力される。また、テープから電気信号として読み出された録音内容は、ＥＱ回路５７によりＥＱ処理され第１の混合器５２へ出力される。第１の混合器５２では、これら入力信号をミキシングし、あるいはいずれか一方の信号を選択してソース再生信号として電子ボリューム５３へ出力する。電子ボリューム５３は、マイクロコンピュータ５８から出力された電子ボリューム制御用の調整信号をもとにその内部抵抗が調整され、第１の混合器５２から出力された前記ソース再生信号を前記調整信号に応じた量だけ減衰させる。ミュート回路５４では、マイクロコンピュータ５８から出力されたミュート制御信号をもとにミュート機能が制御される。このミュート機能は、アラーム機能部６２または操作音発生機能部６３でビープ音信号が生成され出力されている期間中活性化されているミュート制御信号により、前記ソース再生信号を遮断するように作用する。そして、前記ビープ音信号によるアラーム音や操作音が出力されている期間中は、前記ソース再生信号による放送内容や前記テープから再生された録音内容は消音されている状態になる。
【０００４】
【発明が解決しようとする課題】
従来の音量調整装置は以上のように構成されているので、ビープ音信号により発生するアラーム音と操作音とは音量が同一に設定されていることから両者の判別が容易でなく、また、操作音については一般的に音量を抑制しているため聞こえにくく、さらにアラーム音や操作音が出力されている期間中はソース再生信号は消音されてしまい、放送内容やテープから再生された録音内容を聞き取ることが不可能になるという課題があった。
【０００５】
この発明は上記のような課題を解決するためになされたものであり、この発明は、異なる報知目的を有した報知音をそれぞれ適切な音量に調整可能か、または自動調整できる音量調整装置を得ることを目的とする。
また、この発明は、異なる報知目的を有した報知音をソース音の音量に応じて適切な音量に調整可能か、または自動調整できる音量調整装置を得ることを目的とする。
また、この発明は、異なる報知目的を有した報知音とソース音のいずれも明瞭に聞き取ることの可能な音量調整装置を得ることを目的とする。
【０００６】
【課題を解決するための手段】
この発明に係る音量調整装置は、異なる報知目的を有した報知音を同一の音源から発音させるビープ音信号出力手段と、ビープ音信号出力手段が出力したビープ音信号を報知目的に応じて制御し、報知目的ごとにその報知音の音量に差異を発生させる報知音音量調整手段とを備え、報知音音量調整手段は、ビープ音信号出力手段が出力したビープ音信号を制御し、再生中のソース音のソース再生信号に重畳される報知目的ごとの報知音の音量に差異を発生させるとともに、報知音の音量を前記再生中のソース音の平均音量に応じた音量に調整するものである。
【０００９】
この発明に係る音量調整装置は、異なる報知目的を有した報知音は、アラーム音とキー操作時に発音される操作音を含み、報知音音量調整手段が、前記アラーム音の音量を、再生中のソース音の平均音量より大きい音量に調整するものである。
【００１０】
【発明の実施の形態】
以下、この発明の実施の一形態について説明する。
実施の形態１．
図１は、テープ録音再生機能を備えたラジオ受信機に適用されたこの実施の形態１の音量調整装置の構成を示すブロック図である。図において、１は受信したラジオ電波から所望の周波数の放送電波を選局し電気信号として出力するチューナ、８はテープから再生された電気信号をＥＱ処理するためのＥＱ回路である。２は前記チューナ１の出力と前記ＥＱ回路８の出力とを混合し、または前記出力のいずれか一方を選択しソース再生信号として出力する第１の混合器である。３は第１の混合器２から出力された前記ソース再生信号の振幅をマイクロコンピュータ９から出力された調整信号に応じた量だけ可変できるようにするための電子ボリューム、４は前記マイクロコンピュータ９から出力されたミュート制御信号により制御され、放送内容やテープから再生された録音内容などのソース音の消音についてオン／オフを行うミュート回路、５はこのラジオ受信機の操作部１１の各種操作ボタンを操作した際に短時間、操作音を発生させるためのビープ音信号をアンプ６へ供給するための第２の混合器である。この操作音を発生させるためのビープ音信号は前記マイクロコンピュータ９から出力される。６は第２の混合器５の出力を電力増幅するアンプ、７は前記ソース音、アラーム音、操作音を発音するスピーカである。
【００１１】
１０は前記ビープ音信号により発生するアラーム音および操作音の音量を調整するためのビープ音量制御回路（報知音音量調整手段）であり、マイクロコンピュータ９から出力される音量制御信号により制御される。このビープ音量制御回路１０の回路構成は、例えば図２に示すようなトランジスタＴｒ１と抵抗Ｒ１とを備えたアラーム音の音量制御用の第１のトランジスタ回路、トランジスタＴＲ２と抵抗Ｒ２とを備えた操作音の音量制御用の第２のトランジスタ回路により実現されている。１１はこのラジオ受信機を操作するための操作キー、例えば目覚しの目的でアラーム音を発生させる時刻を設定するための操作キーなどを含む各種操作キーを備えた操作部である。１２は設定時刻になると前記アラーム音の信号源となるビープ音信号を生成し出力するアラーム機能部（ビープ音信号出力手段）、１３は操作部１１のキー操作に伴う前記操作音の信号源となるビープ音信号を生成し出力する操作音発生機能部（ビープ音信号出力手段）である。これらアラーム音と操作音とは同一の音源であるスピーカ７からそれぞれ発音される。２１はビープ音量制御回路１０へ与えられる音量制御信号を発生する音量調整プログラムであり、マイクロコンピュータ９の図示していないＲＯＭに格納されている。
【００１２】
次に動作について説明する。
放送局からの放送電波はこのラジオ受信機のアンテナにより受信され、チューナ１により所望の周波数の放送電波が選局され電気信号として出力される。このチューナ１からの出力は第１の混合器２へ出力される。また、テープから電気信号として読み出された録音内容は、ＥＱ回路８によりＥＱされ第１の混合器２へ出力される。第１の混合器２ではこれら入力信号をミキシングし、あるいはいずれか一方の信号を選択し、ソース再生信号として電子ボリューム３へ出力する。電子ボリューム３は、マイクロコンピュータ９から出力された電子ボリューム制御用の調整信号をもとにその内部抵抗が調整され、第１の混合器２から出力された前記ソース再生信号を前記調整信号に応じた量だけ減衰させる。ミュート回路４では、マイクロコンピュータ９から出力されたミュート制御信号をもとにミュート機能が制御される。このミュート回路４のミュート機能は、操作部１１の図示していないミュート設定キーの操作により動作する。そして、前記ミュート設定キーが操作されミュート機能がオンになっている状態では、マイクロコンピュータ９から出力されたミュート制御信号によりソース再生信号が遮断され、放送内容やテープから再生された録音内容であるソース音が消音される。
【００１３】
マイクロコンピュータ９からは、音量調整プログラム２１の実行によりビープ音信号や音量制御信号がビープ音量制御回路１０へ出力される。ビープ音信号は、アラーム機能部１２によるアラーム音、操作音発生機能部１３による操作音を発音させるための信号であり、第２の混合器５を介してアンプ６で電力増幅され、スピーカ７から前記アラーム音や操作音を発音する。これらアラーム音や操作音は、アラーム音と操作音とが同時に発音されているときでもそれぞれ識別できるようにビープ音量制御回路１０においてそれぞれの音量が調整され、それぞれの音量に差が生じるようにする。また、操作音の音量はソース音に対して適度な音量となるように、また、アラーム音の音量はソース音に対し確実に聞き取れる程度の適切な大きさになるようにビープ音量制御回路１０において調整される。
【００１４】
図３および図４は、前記音量調整プログラム２１の構成を示すフローチャートであり、図３はアラーム音や操作音の音量を操作部１１から設定された音量設定値によりそれぞれ調整可能にする音量調整プログラムを示すフローチャート、図４は電子ボリューム３により設定されたソース音の音量に応じてアラーム音や操作音の音量をそれぞれ調整可能にする音量調整プログラムを示すフローチャートである。
【００１５】
先ず、図３に示すフローチャートに従ったアラーム音や操作音の音量調整について説明する。ユーザは操作部１１の図示していないアラーム音および操作音の設定用キーを操作して、アラーム音と操作音の音量を所望の音量に設定する。また、アラーム機能部１２の動作時刻、例えば目覚しの目的でアラーム音による報知が行われる時刻が前記ユーザによりあらかじめ設定されている。アラーム音や操作音の音量が前記設定用キーによりそれぞれ設定されると、マイクロコンピュータ９のＣＰＵはこの音量設定値を取り込み保存する（ステップＳＴ１）。次に、アラーム機能部１２が動作する設定時刻になったか否かを判定し（ステップＳＴ２）、前記設定時刻になるとビープ音信号をアクティブにし（ステップＳＴ３）、前記保存してあるアラーム音用の音量設定値に応じたアラーム音用の音量制御信号をビープ音量制御回路１０へ出力し、前記音量設定値に応じた音量で目覚し目的のアラーム音による報知が行われるようにする（ステップＳＴ４，報知音音量調整手段）。
【００１６】
前記ステップＳＴ２において前記設定時刻になっていなければ、次に、操作部１１の操作キーが操作されたか否かを判定し（ステップＳＴ５）、操作されたのであればビープ音信号をアクティブにし（ステップＳＴ６）、前記保存してある操作音用の音量設定値に応じた操作音用の音量制御信号をビープ音量制御回路１０へ出力し、前記音量設定値に応じた音量で操作キーが操作されているタイミングに同期させて操作音が出力されるようにする（ステップＳＴ７，報知音音量調整手段）。
【００１７】
この図３のフローチャートに示す音量調整では、アラーム音と操作音の音量をそれぞれ操作部１１から所望の音量に設定できるため、アラーム音と操作音とが同時に発音されているときでもそれぞれ識別できるように音量を調整できる。また、操作音の音量はソース音に対して適度な音量となるように、また、アラーム音の音量はソース音に対し確実に聞き取れる程度の適切な大きさになるように調整できる。
【００１８】
次に、図４のフローチャートに示すアラーム音や操作音の音量調整について説明する。アラーム機能部１２の動作時刻、例えば目覚しの目的でアラーム音による報知が行われる時刻がユーザによりあらかじめ設定されている。また前記ユーザは電子ボリューム３によりソース音の音量を調整するための図示していないソース音量設定用キーを操作して、所望の音量にソース音の音量調整を行う。このようにユーザによりソース音の音量調整が行われると、マイクロコンピュータ９のＣＰＵはその音量設定値をメモリへ保存し（ステップＳＴ１１）、さらに、前記音量設定値に応じた調整信号を電子ボリューム３へ出力し、ソース音の音量を前記音量設定値に応じた音量に調整する（ステップＳＴ１２）。次に、アラーム機能部１２が動作する設定時刻になったか否かを判定し（ステップＳＴ１３）、前記設定時刻になるとビープ音信号をアクティブにし（ステップＳＴ１４）、前記保存してあるソース音用の音量設定値に応じたアラーム音用の音量制御信号をビープ音量制御回路１０へ出力し、前記ソース音を消音することなくそのソース音に対し最適な音量で目覚し目的のアラーム音による報知が行われるようにする（ステップＳＴ１５）。
【００１９】
前記ステップＳＴ１５の処理実行後、または前記ステップＳＴ１３において前記設定時刻になっていなければ、次に、操作部１１の操作キーが操作されたか否かを判定し（ステップＳＴ１６）、操作されたのであればビープ音信号をアクティブにし（ステップＳＴ１７）、前記保存してあるソース音用の音量設定値に応じた操作音用の音量制御信号をビープ音量制御回路１０へ出力し、前記ソース音に対し最適な音量で、かつ前記操作部１１の操作キーが操作されているタイミングに同期させて操作音が発音されるようにする（ステップＳＴ１８，報知音音量調整手段）。
【００２０】
この図４のフローチャートに示す音量調整では、アラーム音と操作音の音量を、ソース音の音量に応じた最適な音量にすることが出来る。
【００２１】
以上のように、この実施の形態１によれば、アラーム音と操作音の音量をそれぞれ操作部１１から所望の音量に設定でき、またアラーム音と操作音の音量をソース音の音量に応じた最適な音量に調整することが可能な音量調整装置が得られる効果がある。
【００２２】
実施の形態２．
図５は、テープ録音再生機能を備えたラジオ受信機に適用されたこの実施の形態２の音量調整装置の構成を示すブロック図である。図５において図１と同一または相当の部分について同一の符号を付し重複説明を省略する。図において、２１は平均検波器であり、ソース再生信号の平均検波値を検出するものである。２２はビープ音量制御回路１０へ与えられる音量制御信号を発生する音量調整プログラムであり、マイクロコンピュータ９の図示していないＲＯＭに格納されている。
【００２３】
次に動作について説明する。
この実施の形態２の音量調整装置では、第１の混合器２から出力されたソース再生信号は平均検波器２１において検波され、その平均値が平均検波値としてマイクロコンピュータ９へ出力される。マイクロコンピュータ９からは、音量調整プログラム２２の実行によりビープ音信号や音量制御信号がビープ音量制御回路１０へ出力される。
【００２４】
図６は、前記音量調整プログラム２２の構成を示すフローチャートであり、ソース再生信号の平均検波値に応じてアラーム音や操作音の音量がそれぞれ調整されるようにした。この実施の形態２の音量調整装置においても、アラーム機能部１２の動作時刻、例えば目覚しの目的でアラーム音による報知が行われる時刻がユーザによりあらかじめ設定されている。また前記ユーザは電子ボリューム３によりソース音の音量を調整するための図示していないソース音量設定用キーを操作して、所望の音量にソース音の音量調整を行なっている。このようにユーザによりソース音の音量調整が行われると、マイクロコンピュータ９のＣＰＵはその音量設定値をメモリへ保存し（ステップＳＴ１１）、さらに、前記音量設定値に応じた調整信号を電子ボリューム３へ出力し、ソース音の音量を前記音量設定値に応じた音量に調整する（ステップＳＴ１２）。そして、平均検波器２１から出力されたソース再生信号の平均検波値をメモリへ保存する（ステップＳＴ２１）。次に、アラーム機能部１２が動作する設定時刻になったか否かを判定し（ステップＳＴ１３）、前記設定時刻になるとビープ音信号をアクティブにし（ステップＳＴ１４）、前記保存してあるソース再生信号の平均検波値に応じたアラーム音用の音量制御信号をビープ音量制御回路１０へ出力し、前記ソース音を消音することなくそのソース音に対し最適な音量で目覚し目的のアラーム音による報知が行われるようにする（ステップＳＴ２２）。この場合、前記保存してあるソース再生信号の平均検波値はソース音の平均音量を示すことから、アラーム音の音量は、例えば前記ソース音の平均音量を適切に超えた音量となる。
【００２５】
前記ステップＳＴ２２の処理実行後、または前記ステップＳＴ１３において前記設定時刻になっていなければ、次に、操作部１１の操作キーが操作されたか否かを判定し（ステップＳＴ１６）、操作されたのであればビープ音信号をアクティブにし（ステップＳＴ１７）、前記保存してあるソース再生信号の平均検波値に応じた操作音用の音量制御信号をビープ音量制御回路１０へ出力し、前記ソース音に対し最適な音量で、かつ前記操作部１１の操作キーが操作されているタイミングに同期させて操作音が発音されるようにする（ステップＳＴ２３，報知音音量調整手段）。この場合、前記保存してあるソース再生信号の平均検波値はソース音の平均音量を示すことから、操作音の音量は、例えば前記ソース音の平均音量未満の前記ソース音に対し邪魔にならない適切な音量となる。
【００２６】
以上のように、この実施の形態２によれば、アラーム音と操作音の音量を、ソース再生信号の平均検波値、すなわちソース音の平均音量に応じた最適な音量に調整できる音量調整装置が得られる効果がある。
【００２７】
【発明の効果】
この発明によれば、異なる報知目的を有した報知音を同一の音源から発音させるビープ音信号出力手段と、ビープ音信号出力手段が出力したビープ音信号を報知目的に応じて制御し、報知目的ごとにその報知音の音量に差異を発生させる報知音音量調整手段とを備え、報知音音量調整手段は、ビープ音信号出力手段が出力したビープ音信号を制御し、再生中のソース音のソース再生信号に重畳される報知目的ごとの報知音の音量に差異を発生させるとともに、報知音の音量を前記再生中のソース音の平均音量に応じた音量に調整するように構成したので、異なる報知目的を有したそれぞれの報知音を適切な音量に調整でき、前記それぞれの報知音をいずれも明瞭に聞き取ることが出来る効果がある。また、ソース音に重畳された異なる報知目的を有したそれぞれの報知音を適切な音量に調整でき、ソース音と報知音をいずれも明瞭に聞き取ることが出来るとともに、ソース音の平均音量に応じて報知音を適切な音量に調整出来る効果がある。
【００３０】
この発明によれば、異なる報知目的を有した報知音は、アラーム音とキー操作時に発音される操作音とを含み、報知音音量調整手段が、前記アラーム音の音量を、再生中のソース音の平均音量より大きい音量に調整するように構成したので、前記ソース音の平均音量に応じて前記アラーム音を適切な大きさの音量に調整できる効果がある。
【図面の簡単な説明】
【図１】  この発明の実施の形態１の音量調整装置の構成を示すブロック図である。
【図２】  この発明の実施の形態１の音量調整装置におけるビープ音量制御回路の構成を示す回路図である。
【図３】  この発明の実施の形態１の音量調整装置の動作を示すフローチャートである。
【図４】  この発明の実施の形態１の音量調整装置の動作を示すフローチャートである。
【図５】  この発明の実施の形態２の音量調整装置の構成を示すブロック図である。
【図６】  この発明の実施の形態２の音量調整装置の動作を示すフローチャートである。
【図７】  従来の音量調整装置の構成を示すブロック図である。
【符号の説明】
９  マイクロコンピュータ（ビープ音信号出力手段，報知音音量調整手段）、１０  ビープ音量制御回路（報知音音量調整手段）、１２  アラーム機能部（ビープ音信号出力手段）、１３  操作音発生機能部（ビープ音信号出力手段）、２１，２２  音量調整プログラム。
【図１】
0004011329.tif 000002
【図２】
0004011329.tif 000003
【図３】
0004011329.tif 000004
【図４】
0004011329.tif 000005
【図５】
0004011329.tif 000006
【図６】
0004011329.tif 000007
【図７】
0004011329.tif 000008